(57)【要約】【解決手段】開示されているのは、ユーザを雨又は日光から保護する傘布として用いられ得る傘である。傘は、近位端部及び遠位端部を有する細長い部材と、前記細長い部材の遠位端部付近に配置される傘布に接続可能である支持構造であって、前記支持構造は、傘布が前記支持構造によって張力が与えられる、開傘位置と、傘布の張力が解放されている閉傘位置との間で調節可能である、支持構造と、を備え得る。傘は、支持構造が反転するのを抑制するよう構成される複数の付勢手段も含み得る。
2017528259.tif 000002
【特許請求の範囲】
【請求項１】
近位端部及び遠位端部を有する細長い部材と、
前記細長い部材の遠位端部付近に配置される傘布に接続可能である支持構造であって、前記支持構造は、傘布が前記支持構造によって張力が与えられる、開傘位置と、傘布の張力が解放されている閉傘位置との間で調節可能である、支持構造と、
前記支持構造及び前記細長い部材の遠位端部の両方にマウントされている、複数の付勢手段と、
を備え、
それぞれの付勢手段は、傘布の下面に力が加わった場合に、前記支持構造が反転するのを抑制するために、前記支持構造を開傘位置に維持するために、前記支持構造を開傘位置に付勢するよう構成されている
傘。
【請求項２】
それぞれの付勢手段は、前記支持構造に旋回可能にマウントされている請求項１に記載の傘。
【請求項３】
それぞれの付勢手段は、靭性を有し、中立位置においてその長さ方向に湾曲されることによって、前記付勢手段は、傘布の下面に力が加えられた時に曲がり、前記付勢手段の前記靭性が前記付勢手段を中立位置へと付勢する
請求項１又は２に記載の傘。
【請求項４】
前記傘が反転された位置にある時には、それぞれの付勢手段は、加えられた力が解放されると、まっすぐになり、前記支持構造は、開傘位置に向かって付勢される
請求項３に記載の傘。
【請求項５】
前記支持構造は、
前記細長い部材に接続されたスライダーであって、前記スライダーは、前記細長い部材の前記近位端部及び遠位端部の中間の位置の間で前記細長い部材に沿って移動できる、スライダーと、
複数の親骨であって、それぞれの親骨は、前記細長い部材の遠位端部の付近に配置され、前記細長い部材の遠位端部に旋回可能に接続されている、複数の親骨と、
複数のロッドであって、それぞれのロッドは、前記スライダー及びそれぞれの親骨の両方の付近に配置され、前記スライダー及びそれぞれの親骨の両方に旋回可能に接続された、複数のロッドと、
を備え、
前記細長い部材に沿った、前記細長い部材の前記遠位端部に向かうスライダーの動きは、それぞれのロッドが、それが接続されている前記親骨を、前記細長い部材から離れるように旋回させ、前記スライダーが前記支持構造を開傘位置に調整し、
前記細長い部材に沿った、前記細長い部材の前記近位端部に向かうスライダーの動きは、それぞれのロッドが、それが接続されている前記親骨を、前記細長い部材に向かうように旋回させ、前記スライダーが前記支持構造を閉傘位置に調整する
請求項１〜４のいずれか１項に記載の傘。
【請求項６】
それぞれの親骨は、第１端及び第２端を備え、前記第１端は、前記支持構造が開傘位置にある時には、前記細長い部材から間隔を空けられており、前記第２端は、前記細長い部材の前記遠位端部に旋回可能に接続されている
請求項５に記載の傘。
【請求項７】
それぞれの親骨は、
第１コネクタであって、前記第１コネクタは、前記親骨の前記第１端及び前記第２端の中間にマウントされることによって、前記第１コネクタが前記親骨に沿った位置に固定される、第１コネクタと、
第２コネクタであって、前記第２コネクタは、前記第１コネクタ及び前記親骨の前記第２端の中間にマウントされることによって、前記第２コネクタが前記親骨に沿った位置に固定される、第２コネクタと、を備える
請求項６に記載の傘。
【請求項８】
それぞれのロッドは、それぞれの第１コネクタに旋回可能に接続される
請求項７に記載の傘。
【請求項９】
それぞれの付勢手段は、それぞれの第２コネクタに旋回可能に接続される
請求項７又は８に記載の傘。
【請求項１０】
前記第２コネクタは、親骨に固定されている
請求項７〜９のいずれか１項に記載の傘。
【請求項１１】
前記第１コネクタは、それぞれ、一体化した突出フィンガーを備え、それぞれの突出フィンガーは、その周りでそれぞれのロッドが回転できる、ピンを受け入れるよう構成される開口を含む
請求項７〜１０のいずれか１項に記載の傘。
【請求項１２】
前記第２コネクタは、それぞれ、単一の一体化した突出フィンガーを備え、それぞれの突出フィンガーは、その周りでそれぞれの付勢手段が回転できる、ピンを受け入れるよう構成される開口を含む
請求項７〜１１のいずれか１項に記載の傘。
【請求項１３】
前記付勢手段は、その端部で分岐することによって、前記第２コネクタの突出フィンガーのいずれの側にも位置する
請求項７〜１２のいずれか１項に記載の傘。
【請求項１４】
前記支持構造は、複数の傘布テンショナーをさらに備え、それぞれの傘布テンショナーは、それぞれの親骨の前記第１端に接続されている
請求項７〜１３のいずれか１項に記載の傘。
【請求項１５】
それぞれの傘布テンショナーは、
それが接続されている前記親骨を受け入れるよう構成されている内部空洞を有するアライメント部材と、
前記アライメント部材と一体化形成され、前記アライメント部材から離れるように延びている肩部であって、前記肩部は、前記支持構造が前記開傘位置にある時に、前記傘布によって受け取られ、前記傘布に張力を与えるよう構成される、肩部と、
を備える
請求項１４に記載の傘。
【請求項１６】
それぞれの傘布テンショナーは、
使用中に、それぞれの親骨に隣接して配置される対向する靭性部材であって、前記靭性部材は、いずれかの端部で接続され、前記アライメント部材及び前記親骨にマウントされている位置決め具によって前記親骨に沿った動きが制限され、前記位置決め具は、前記第１端から間隔を空けられている、靭性部材
をさらに備える
請求項１５に記載の傘。
【請求項１７】
前記靭性部材は、前記アライメント部材及び前記位置決め具と一体化形成されている板バネである
請求項１６に記載の傘。
【請求項１８】
前記板バネの外側部分は、前記傘布テンショナーの前記肩部を形成する
請求項１７に記載の傘。
【請求項１９】
前記アライメント部材は、前記支持構造が前記閉傘位置及び前記開傘位置の間で調節される時、それぞれの親骨に沿って入れ子式に並進するよう構成されている
請求項１７又は１８に記載の傘。
【請求項２０】
その中に形成された内側チャネルを有するカラーであって、前記チャネルは、それを通して前記細長い部材を受け入れるよう構成される、カラーと、
前記カラーと一体化形成されている複数の突起であって、前記突起は、前記カラーの付近で半径方向に延びている、複数の突起と、
複数の凹部であって、それぞれの凹部は、隣接する突起の間に規定される、複数の凹部と、
さらに備え、
それぞれの凹部は、それぞれの付勢手段の端部を受け入れるよう構成されることによって、前記付勢手段は、前記カラーに旋回可能にマウントされる
請求項３〜１９のいずれか１項に記載の傘。
【請求項２１】
前記カラーは、前記細長い部材にスライド可能にマウントされており、使用中は、スライダーと、親骨及び前記細長い部材の間の前記旋回可能な接続との中間に位置する
請求項２０に記載の傘。
【請求項２２】
それぞれの突起は、それを通して形成された溝を備え、前記溝は、前記カラー付近に配置されている固定器具を受け入れるよう構成されている
請求項２０又は２１に記載の傘。
【請求項２３】
それぞれの付勢手段は、前記固定器具を受け入れる開口を備えることによって、前記付勢手段は、旋回可能に前記カラーにマウントされる
請求項２２に記載の傘。
【請求項２４】
前記固定器具は、前記付勢手段の前記突起の溝及び前記開口を通される、ある長さをもつワイヤである
請求項２３に記載の傘。
【請求項２５】
前記支持構造が開傘状態である時に、スライダーを前記細長い部材にロックするよう構成されているロック手段をさらに備える
請求項３〜２４のいずれか１項に記載の傘。
【請求項２６】
前記付勢手段は、スプリング付きの部材である
請求項１〜２５のいずれか１項に記載の傘。
【請求項２７】
前記細長い部材は、前記近位端部に配置される手元をさらに備える
請求項１〜２６のいずれか１項に記載の傘。
【請求項２８】
近位端部及び遠位端部を有する細長い部材と、
前記細長い部材の遠位端部付近に配置される傘布に接続可能である支持構造であって、前記支持構造は、傘布が前記支持構造によって張力が与えられる、開傘位置と、傘布の張力が解放されている閉傘位置との間で調節可能である、支持構造と、
複数の傘布テンショナーであって、それぞれの傘布テンショナーは、それが接続されている親骨を受け入れるよう構成されている内部空洞を有するアライメント部材と、前記アライメント部材と一体化形成され、前記アライメント部材から離れるように延びている肩部であって、前記肩部は、前記支持構造が前記開傘位置にある時に、前記傘布によって受け取られ、前記傘布に張力を与えるよう構成される、肩部とを備える、複数の傘布テンショナーと、
を備える傘。
【請求項２９】
それぞれの傘布テンショナーは、
使用中に、それぞれの親骨の付近に配置される対向する靭性部材であって、前記靭性部材は、いずれかの端部で接続され、前記アライメント部材及び前記親骨にマウントされている位置決め具によって前記親骨に沿った動きが制限され、前記位置決め具は、前記親骨の端から間隔を空けられている、靭性部材
をさらに備える
請求項２８に記載の傘。
【請求項３０】
前記傘は、そうでなければ請求項１〜２７のいずれか１項に規定されている、請求項２９に記載の傘。
【請求項３１】
近位端部及び遠位端部を有する細長い部材と、
前記細長い部材の遠位端部付近に配置される傘布に接続可能である支持構造であって、前記支持構造は、傘布が前記支持構造によって張力が与えられる、開傘位置と、傘布の張力が解放されている閉傘位置との間で調節可能である、支持構造と、
前記支持構造及び前記細長い部材の遠位端部の両方にマウントされている、複数の付勢手段と、
を備え、
それぞれの付勢手段は、傘が反転されている時に、前記支持構造を開傘位置に付勢し、前記支持構造が開傘位置に戻るよう構成されている
傘。
【請求項３２】
請求項３１に記載の傘であって、前記傘は、そうでなければ請求項１〜２７のいずれか１項に記載の傘。
【発明の詳細な説明】
【技術分野】
【０００１】
本開示は、ユーザを雨又は太陽光線から保護する覆いとして使用され得る傘に関する。
【背景技術】
【０００２】
傘又はパラソルは、ユーザを太陽、風、又は雨から保護する覆いとして使用され得る。傘は、携帯可能な構造であり得て、又は地面に固定され得る。傘は、一端に手元を、他端に傘布を有する中棒を含み得る。傘布を支持し、使用しない時には、傘布が畳めるように、閉傘可能な傘布支持構造が含まれ得る。閉傘可能な傘布支持構造は、開傘された時に、傘布に張力をかけるための、中棒から放射状に延びる複数の親骨も含み得る。傘の問題は、風を受けて、風によって傘布の下面に働いた力が、傘を裏返す（例えば閉傘可能な傘布構造を反転する）ことである。
【０００３】
背景技術に関する上記の言及は、当該技術が当業者にとっての公知の一般的知識の一部を形成するという自認を構成しない。上記言及は、ここで開示される傘の応用を限定するように意図もされない。
【発明の概要】
【０００４】
ここで開示されているのは傘である。この傘は、近位端部及び遠位端部を有する細長い部材を備え得る。この傘は、前記細長い部材の遠位端部付近に配置される傘布に接続可能である支持構造も備え得る。前記支持構造は、傘布が前記支持構造によって張力が与えられる、開傘位置と、傘布の張力が解放されている閉傘位置との間で調節可能であり得る。この傘は、前記支持構造及び前記細長い部材の遠位端部の両方にマウントされている、複数の付勢手段も含み得る。それぞれの付勢手段は、傘布の下面に力が加わった場合に、前記支持構造が反転するのを抑制するために、前記支持構造を開傘位置に維持するために、前記支持構造を開傘位置に付勢するよう構成され得る。
【０００５】
ある形態では、それぞれの付勢手段は、前記支持構造に旋回可能にマウントされている。これは、付勢手段が、傘がその開傘位置及び閉傘位置の間で調節される時に、支持構造と共に動くことを可能にする。
【０００６】
ある形態では、それぞれの付勢手段は、靭性を有し、中立位置においてその長さ方向に湾曲されることによって、前記付勢手段は、傘布の下面に力が加えられた時に曲がり、前記付勢手段の前記靭性が前記付勢手段を中立位置へと付勢する。有利には、付勢手段は、傘布の下面に加えられる力（例えば風）によって親骨に与えられる力に対抗し得る。
【０００７】
ある形態では、傘が反転された位置にある時には、それぞれの付勢手段は、加えられた力の解放とともに、その中立位置に向かって動き得て（すなわちまっすぐになる傾向によって）、支持構造は、開傘位置へと付勢される。これは、傘が自己復原することを可能にする。
【０００８】
ある形態では、支持構造は、前記細長い部材に接続されたスライダーを備え得る。スライダーは、前記細長い部材の前記近位端部及び遠位端部の中間の位置の間で前記細長い部材に沿って移動し得る。支持構造は、複数の親骨であって、それぞれの親骨は、前記細長い部材の遠位端部の付近に配置され、前記細長い部材の遠位端部に旋回可能に接続されている、複数の親骨を備え得る。支持構造は、複数のロッドであって、それぞれのロッドは、前記スライダー及びそれぞれの親骨の両方の付近に配置され、前記スライダー及びそれぞれの親骨の両方に旋回可能に接続された、複数のロッドを備え得る。使用中に、前記細長い部材に沿った、前記細長い部材の前記遠位端部に向かうスライダーの動きは、それぞれのロッドが、それが接続されている前記親骨を、前記細長い部材から離れるように旋回させ、前記スライダーが前記支持構造を開傘位置に調整することができる。さらに、前記細長い部材に沿った、前記細長い部材の前記近位端部に向かうスライダーの動きは、それぞれのロッドが、それが接続されている前記親骨を、前記細長い部材に向かうように旋回させ、前記スライダーが前記支持構造を閉傘位置に調整することができる。
【０００９】
ある形態では、それぞれの親骨は、第１端及び第２端を備え得る。前記第１端は、前記支持構造が開傘位置にある時には、前記細長い部材から間隔を空けられ得る。前記第２端は、前記細長い部材の前記遠位端部に旋回可能に接続され得る。
【００１０】
ある形態では、それぞれの親骨は、第１コネクタを備え得る。前記第１コネクタは、前記親骨の前記第１端及び前記第２端の中間にマウントされることによって、前記第１コネクタが前記親骨に沿った位置に固定される。それぞれの親骨は、第２コネクタも備え得る。前記第２コネクタは、前記第１コネクタ及び前記親骨の前記第２端の中間にマウントされることによって、前記第２コネクタが前記親骨に沿った位置に固定され得る。
【００１１】
ある形態では、それぞれのロッドは、それぞれの第１コネクタに旋回可能に接続され得る。
【００１２】
ある形態では、それぞれの付勢手段は、それぞれの第２コネクタに旋回可能に接続され得る。
【００１３】
ある形態では、前記第２コネクタは、親骨に固定され得る。
【００１４】
ある形態では、前記第１コネクタは、それぞれ、一体化した突出フィンガーを備え得る。それぞれの突出フィンガーは、その周りでそれぞれのロッドが回転できる、ピンを受け入れるよう構成される開口を含み得る。
【００１５】
ある形態では、前記第２コネクタは、それぞれ、単一の一体化した突出フィンガーを備え得る。それぞれの突出フィンガーは、その周りでそれぞれの付勢手段が回転できる、ピンを受け入れるよう構成される開口を含み得る。
【００１６】
ある形態では、前記付勢手段は、その端部で分岐することによって、前記第２コネクタの前記突出フィンガーのいずれの側にも位置し得る。
【００１７】
ある形態では、前記支持構造は、複数の傘布テンショナーをさらに備え得る。それぞれの傘布テンショナーは、それぞれの親骨の前記第１端に接続され得る。
【００１８】
ある形態では、それぞれの傘布テンショナーは、それが接続されている前記親骨を受け入れるよう構成されている内部空洞を有する物体を備え得る。それぞれの傘布テンショナーは、前記アライメント部材と一体化形成され、前記アライメント部材から離れるように延びている肩部を備え得る。前記肩部は、前記支持構造が前記開傘位置にある時に、前記傘布によって受け取られ、前記傘布に張力を与えるよう構成され得る。
【００１９】
ある形態では、それぞれの傘布テンショナーは、それが接続されている前記親骨を受け入れるよう構成されている内部空洞を有するアライメント部材と、前記アライメント部材と一体化形成され、前記アライメント部材から離れるように延びている肩部であって、前記肩部は、前記支持構造が前記開傘位置にある時に、前記傘布によって受け取られ、前記傘布に張力を与えるよう構成される、肩部と、を備える。ある形態では、前記肩部は、アライメント部材に接続され得る（すなわち一体化形成されていない）。
【００２０】
ある形態では、それぞれの傘布テンショナーは、使用中にそれぞれの親骨の第１端付近に配置され得る靭性部材をさらに備え得る。靭性部材は、物体及び親骨にマウントされている位置決め具によって親骨に沿った動きが制限され得る。位置決め具は、親骨の第１端から間隔が空けられ得る。これは、傘布が反転する場合には、傘布及び支持構造の張力が制限されることを可能にする。
【００２１】
ある形態では、それぞれの傘布テンショナーは、使用中に、それぞれの親骨に隣接して配置される対向する靭性部材であって、前記靭性部材は、いずれかの端部で接続され、前記アライメント部材及び前記親骨にマウントされている位置決め具によって前記親骨に沿った動きが制限され、前記位置決め具は、前記第１端から間隔を空けられている、靭性部材をさらに備え得る。
【００２２】
ある形態では、前記靭性部材は、それを通して親骨の一部が延びるコイルバネであり得る。
【００２３】
ある形態では、前記靭性部材は、前記アライメント部材及び前記位置決め具と一体化形成されている板バネである。ある形態では、前記板バネの外側部分は、前記傘布テンショナーの前記肩部を形成し得る。
【００２４】
ある形態では、前記バネの一端は、前記位置決め具に係合し得て、その反対端は、前記物体の壁に係合し得る。
【００２５】
ある形態では、前記アライメント部材は、前記支持構造が前記閉傘位置及び前記開傘位置の間で調節される時、それぞれの親骨に沿って入れ子式に並進するよう構成され得る。
【００２６】
ある形態では、傘は、その中に形成された内部チャネルを有するカラーをさらに備え得る。このチャネルは、その中を通して細長い部材を受け入れるよう構成され得る。複数の突起は、前記カラーと一体化形成され得る。前記突起は、前記カラー付近で半径方向に延び得る。傘は、複数の凹部も備え得る。それぞれの凹部は、隣接する突起の間に規定され得る。それぞれの凹部は、それぞれの付勢手段の端部を受け入れるよう構成され得ることによって、前記付勢手段は、前記カラーに旋回可能にマウントされ得る。
【００２７】
ある形態では、前記カラーは、前記長さ部材にスライド可能にマウントされ得て、使用中は、前記スライダーと、前記親骨及び前記細長い部材の間の前記旋回可能な接続との中間に（例えば間に）位置し得る。
【００２８】
ある形態では、それぞれの突起は、それを通して形成された溝を備え得る。前記溝は、前記カラー付近に配置されている固定器具を受け入れるよう構成され得る。
【００２９】
ある形態では、それぞれの付勢手段は、前記固定器具を受け入れる開口を備えることによって、前記付勢手段は、旋回可能に前記カラーにマウントされ得る。
【００３０】
ある形態では、前記固定器具は、前記付勢手段の前記突起の溝及び前記開口を通される、ある長さをもつワイヤであり得る。
【００３１】
ある形態では、前記傘は、前記支持構造が開傘状態である時に、前記スライダーを前記細長い部材にロックするよう構成されているロック手段をさらに備え得る。
【００３２】
ある形態では、前記付勢手段は、板バネであり得る。
【００３３】
ある形態では、前記付勢手段は、スプリング付きの部材であり得る。
【００３４】
前記細長い部材は、前記近位端に配置される手元をさらに備え得る。
【００３５】
ここで開示されているのは、近位端部及び遠位端部を有する細長い部材を備え得る傘である。傘布に接続可能である支持構造は、前記細長い部材の遠位端部付近に配置され得る。前記支持構造は、傘布が前記支持構造によって張力が与えられる、開傘位置と、傘布の張力が解放されている、閉傘位置との間で調節可能であり得る。傘は、前記支持構造に接続されている複数の傘布テンショナーも備え得る。それぞれの傘布テンショナーは、それが接続されている前記親骨を受け入れるよう構成されている内部空洞を有するアライメント部材と、前記アライメント部材と一体化形成され、前記アライメント部材から離れるように延びている肩部とを備え得る。他の形態では、前記肩部は、前記アライメント部材に接続され得る（すなわち一体化形成されていない）。前記肩部は、前記支持構造が前記開傘位置にある時に、前記傘布によって受け取られ、前記傘布に張力を与えるよう構成され得る。
【００３６】
ここで開示されているのは、近位端部及び遠位端部を有する細長い部材を備える傘である。傘布に接続可能である支持構造は、前記細長い部材の遠位端部付近に配置され得る。前記支持構造は、傘布が前記支持構造によって張力が与えられる、開傘位置と、傘布の張力が解放されている閉傘位置との間で調節可能であり得る。傘布における張力は解放されることができる。傘は、前記支持構造及び前記細長い部材の遠位端部の両方にマウントされている、複数の付勢手段も備え得る。それぞれの付勢手段は、傘が反転されている時に、支持構造を開傘位置に付勢し、それによって支持構造を開傘位置に戻すよう構成され得る。有利には、これは、傘布及び支持構造が反転される（例えば傘が反対に曲がる）場合にも、傘が開傘位置に自分で戻り得るよう、自己復原することを可能にする。
【図面の簡単な説明】
【００３７】
ここで実施形態が添付の図面を参照して、あくまで例として記載される。
【図１】傘の透視図である。
【図２】傘の支持構造の透視図である。
【図３】傘の上面図である。
【図４】傘の側面図である。
【図５】傘の支持構造の側面図である。
【図６】板バネ及び親骨の間の接続の透視図である。
【図７】傘布テンショナーの側面図である。
【図８ａ】張力が加えられた位置における傘布テンショナーの代替の実施形態の側面図である。
【図８ｂ】張力が解放された位置における傘布テンショナーの代替の実施形態の側面図である。
【図９】中棒及び板バネの間の接続の透視図である。
【図１０】傘の支持構造の他の透視図である。
【図１１ａ】アンロック状態でのロック手段の断面図である。
【図１１ｂ】ロック状態でのロック手段の断面図である。
【図１２ａ】代替のロック手段の断面図である。
【図１２ｂ】代替のロック手段の断面図である。
【図１３ａ】アンロック位置における図１２の代替のロック手段の断面図である。
【図１３ｂ】アンロック位置における図１２の代替のロック手段の断面図である。
【図１３ｃ】ロック位置における図１２の代替のロック手段の断面図である。
【図１４】アンロック位置における図１２の代替のロック手段の断面図である。
【図１５】反転された位置における傘支持構造の側面図である。
【図１６】反転された位置における傘支持構造の透視図である。
【発明を実施するための形態】
【００３８】
以下の詳細な記載において、詳細な説明の一部を成す添付の図面に対して参照がなされる。詳細な説明に記載され、図面に示され、特許請求の範囲に規定された例示的な実施形態は、限定的であることを意図されない。他の実施形態が利用され得て、提示されている主題の精神又は範囲から逸脱することなく、他の変更もなされ得る。ここで概略的に記載され、図面に示されるように、本開示の局面は、改変され、置換され、結み合わされ、分離され、幅広い異なる構成において設計され得て、これら全てが本開示において想定されている。
【００３９】
図１をまず参照して、本開示による傘１が説明される。傘１は、近位端部５及び遠位端部７を有する中棒３の形をとる細長部材を含む。中棒３は、ユーザが傘１を把持できるようにする手元６を、その近位端５において含む。次に図２を参照して、この傘がさらに詳細に説明される。傘１は、布地シート又はシート群（例えば縫い合わせられた複数のキャンバスシート）の形をとり、中棒３の遠位端部７の近くに配された傘布１１に接続されている支持構造９を含む。支持構造９は、図１に示される開傘位置と、閉傘位置との間で調節可能である。開傘位置において、傘布１１は、支持構造９によって張力が加えられ得て、ユーザが雨又は太陽から保護される半剛性構造を形成する。閉傘された位置において、傘布１１の張力は、解放され得て、傘布は緩む。使用されない時は。傘１は、閉傘された位置で保管され得る。
【００４０】
傘１は、支持構造９及び中棒３の遠位端部７の両方に装着された、板バネ１３の形をとる複数の付勢手段を含む。それぞれの板バネ１３は、力（例えば風）が傘布１１の下面１５に加えられた時に、支持構造９を開傘位置に付勢することによって、支持構造９を開傘位置に維持し、支持構造９が反転する（例えば裏返しになる）ことを防ぐように構成される。それぞれの板バネ１３は、支持構造９に旋回可能に装着される（pivotally mounted）。板バネ１３は、支持構造及び傘布が反転された場合（図１１及び１２）には、支持構造９及び傘布１１を開傘位置へと付勢することもできる。これは、傘が自動的に復原することを可能にする。
【００４１】
次に図４及び５を参照して、支持構造がさらに詳細に説明される。支持構造９は、中棒３に接続されているカラー１７の形をとるスライダーを含む。カラー１７は、中棒３の近位端部５及び遠位端部７の間を中棒３に沿って移動できる。支持構造９は、複数の親骨１９も含み、それぞれの親骨は、中棒３の遠位端部７の近くに、旋回可能に配されている。支持構造９は、受骨２１の形をとる複数のロッドも含む。受骨２１は、カラー１７及び親骨１９の近くに配され、それら両方に旋回可能に接続されている。
【００４２】
中棒３の遠位端部７に向けた中棒３に沿ったカラー１７の動きは、受骨２１が中棒３から遠ざかる所で接続されている親骨１９を、それぞれの受骨２１が旋回させることによって、カラー１７は、支持構造９を開傘位置へと再位置付け又は調節する。中棒３の近位端部５に向けた中棒３に沿ったカラー１７の動きは、受骨２１が中棒３に近い所で接続されている親骨１９を、それぞれの受骨２１が旋回させることによって、カラー１７は、支持構造９を傘が閉傘された位置へと再位置付け又は調節する。
【００４３】
親骨１９は、第１端２３及び第２端２５を含む。親骨１９の第１端２３は、支持構造が開傘位置にある時には、中棒３から離れて（例えば間隔を空けられて）いる。親骨１９の第２端２５は、中棒の遠位端部２５に旋回可能に接続されている。親骨１９は、マウント２７の形をとる第１コネクタを有する。マウント２７は、親骨１９の第１端２３及び第２端２５の中間に配置されることによって、マウント２７が親骨１９に沿った位置で固定される。ここで図５を参照して、親骨１９が詳細に説明される。親骨１９は、コネクタ２９の形をとる複数の第２コネクタを含む。図４に示されるように、コネクタ２９は、親骨１９のマウント２７及び第２端２５の中間（例えば間）にマウントされることによって、コネクタ２９が親骨１９に沿った位置で固定される。
【００４４】
傘が反転する（例えば裏返しになる）のを防ぐために、それぞれの板バネ１３は、弾力性をもち、その中立位置ではその長さに沿って湾曲させられている。板バネ１３は、傘布１１の下面１５に力が加わると、曲がることができる。板バネ１３の靭性は、その中立位置に向けてそれを付勢することによって、板バネにおける曲率半径は、それが曲げられた（例えば加圧された）状態に追いやられるときよりも大きい。支持構造９が反転された位置に追いやられると、それぞれの親骨１９の第１端２３がマウント２７付近で曲がる（例えばその長さに沿ってたわむ）。この動きは、親骨１９の第２端２５を下向きに、中棒３に向かって押しやる（forces）。板バネ１３は、その端部及び湾曲部の間で圧縮される（例えば板バネの曲率半径が減少する）。板バネにおける弾力性は、板バネの曲げを抑制し、それによって親骨１９の第２端２３の中棒３に対する動きを抑制する。これは、力が傘布の下面に加えられたときに、傘の反転プロセスを抑制又は防止する。代替の実施形態において、板バネは、他の付勢手段（例えば弾性的に靭性を有する長さのゴム、コイルバネ）で置換され得る。
【００４５】
板バネ１３は、傘が反転された場合（例えば傘布の下面に与えられた力が傘を反転させるのに十分なとき）には、支持構造９及び傘布１１を自己復原させることもできる。反転された、つまり裏返しになった位置は、図１１及び１２に示される。反転された位置において、それぞれの親骨１９は、その長さに沿って、親骨１９及び受骨２１の間の接続（マウント２７）の付近で曲げられる（例えば、たわむ、弧をかく）。これは、それぞれの親骨１９の第２端２５が中棒３へ向かうように移動させ、それによって板バネ１３を圧縮する。板バネ１３の靭性は、板バネをその中立位置へと付勢する。中立位置において、板バネの曲率半径は、圧縮されている時（すなわち傘が反転された位置に追いやられている時）よりも大きい。板バネ１３は、傘布１１の下面１５に与えられる力の解放と同時にまっすぐになる傾向があり、それによって傘を自己復原する。
【００４６】
図４及び６を参照して、受骨２１、親骨１９、及び板バネ１３の間の旋回接続が詳細に説明される。それぞれの受骨２１は、マウント２７に旋回可能に接続されている。ある形態では、マウント２７は、親骨１９に合わせて成形されており、親骨１９は、カーボンファイバ又は任意の他の丈夫な材料（例えばファイバーガラス、金属又はポリマー）から形成され得る。マウント２７は、それぞれ一体化した突出フィンガー３１を備える。突出フィンガー３１は、その周りにそれぞれの受骨２１が回転できる、ピンを受け入れるよう構成された開口を有する。それぞれの板バネ１３は、コネクタ２９に旋回可能に接続されている。コネクタ２９も、親骨１９に成形されることで、それらの位置が固定され得る。代替の実施形態においては、コネクタ２９及びマウント２７は、代替の固定方法（例えば、接着剤で付けられたり、締め付け具で留められたり、圧着されたり、又はリベット締めにされたりされ得る）を用いて受骨２１に固定される。
【００４７】
コネクタ２９は、単一の一体化した突出フィンガー３３も備える。突出フィンガー３３は、その周りにそれぞれの板バネ１３がコネクタ２９に対して回転できる、ピン３５を受け入れるよう構成された開口を有する。それぞれの板バネ１３は、親骨１９に隣接するその端部において二つの部分に分岐３７する。板バネ１３の分岐部３７は、コネクタ２９の突出フィンガー３３の両側に位置する。板バネの分岐部３７は、ピン３５を受け入れる開口３９も含む。分岐部３７は、突出フィンガー３３の開口と、板バネ１３とがアラインするように、コネクタ２９の突出フィンガー３３を受け入れる。このようにして、協働する開口は、板バネ１３及びコネクタ２９が旋回可能に互いにマウントされるように、ピン３５を受け入れる。分岐マウントは、比較的簡単であるが、他の形態の旋回可能なマウントも採用され得る。
【００４８】
支持構造９は、複数の傘布テンショナー４１も含む。図４及び７をここで参照して、傘布テンショナー４１が詳細に説明される。傘布テンショナー４１は、親骨１９の第１端２３に接続されている。傘布テンショナー４１は、チューブ４３の形をとり、親骨１９を受け入れるように構成されている内部空洞を有し、親骨１９に接続されている本体を含む。傘布テンショナーは、チューブ４３と一体化されて形成され、チューブ４３から伸びている靭性Ｔバー４５の形をとる、肩部も含む。Ｔバー４５は、チューブ４３と併せて、Ｔ字形のプロファイルを形成する。Ｔバー４５の外周は、傘布１１のある程度円形のプロファイルと合うように湾曲が付けられ得る。Ｔバー４５は、支持構造９が開傘位置にある時に、傘布１１によって受け止められ、傘布１１に張力を与えるよう構成される。傘布テンショナーのＴバー４５は、支持構造９が開傘された時には、傘布１１の周辺部付近で親骨１９に対して働く半径方向の力を拡散するための負荷拡散器として働く。Ｔバーは、傘布の周辺部付近で、尖った端部が存在しないことも確実にする。尖った端部は、特に、混雑した場所で傘が用いられるときに危険であり得る。
【００４９】
再び図１を参照して、傘布テンショナー４１及び傘布１１の間の接続がさらに詳細に説明される。傘布１１は、傘布１１の周囲４９におけるその下面１５付近に、コンパートメント４７の形をとる、重なり合う端部を含む。傘布テンショナー４１は、コンパートメント４７内に位置し得る。それぞれの親骨１９の長さは、同一である。加えて、中棒３についての親骨１９の間隔、よって傘布テンショナー４７の間隔は、同一である。このことは、傘布１１の張力が、傘布１１にわたって均一に拡散されることを確かにする。コンパートメント４７の個数は、親骨１９の個数に等しくてもよい。代替の実施形態においては、親骨１９は、非対称な傘布を形成するために長さに変化が付けられ得る。
【００５０】
詳細な形態では、コンパートメント４７は、傘布１１の全体の周囲４９について延びる、単一の長さの材料から形成される。このことは、コンパートメント４７及び傘布１１の間の色のコントラストを可能にする。このことは、コンパートメント４７が、傘布１１の異なる、より強い材料から形成されることも可能にする。代替の実施形態においては、コンパートメントは、別個の材料片から個別に形成される。
【００５１】
図７を再び参照して、傘布テンショナー４１がさらに詳細に説明される。傘布テンショナー４１は、それを通して親骨の一部が延びるコイルバネ５１の形をとる、靭性部材も含む。バネ５１は、親骨１９の第１端２３の付近に配置され、チューブ４３に固定される。バネ５１は、親骨１９にマウントされている位置決め具５３によって親骨１９に沿った動きを制限されている。位置決め具５３は、親骨１９の第１端２３から間隔が空けられている。バネ５１の端は、位置決め具５３と係合され、他方の端は、チューブ４３の外の壁と係合されている。代替の実施形態においては、バネ５１は、チューブ４３の中の壁と係合されてもよい。他の代替の実施形態においては、バネ５１は、プラスチックでできた弾力を有するバネであり得る。
【００５２】
傘布テンショナーの代替の形態が図８に示される。傘布テンショナー１４１は、対向する板バネ１５１の形をとる、対向する靭性部材と、及び、支持構造の親骨の一部がその中を通る、一体化成形されたチューブ１４５の形をとるアライメント部材とを含む。チューブ１４５は、張力が加えられた位置（図８ｂ）及び張力が解かれた位置（図８ａ）の間で、それぞれの親骨に沿って並進することができる。対向する板バネ１４１は、一端１４７，１４９に接続され、柔軟性のあるループ１４２を形成する。傘布テンショナー１４１は、それぞれの親骨を受け入れ、それぞれの親骨に固定されるカラー１４４を含む。傘布に張力を与えるとチューブ１４１の動きは、固定されたカラー１４４によって制限される。傘布に張力を与えると、柔軟性ループ１４２の外側端１４７は、傘布ポケットと係合し、それによって図８ａの矢印Ｃによって表される向きに圧縮される。この動きは、対向する板バネをたわませて、チューブ１４１を支持構造のそれぞれの親骨に沿って固定されたカラー１４４の向きに並進（例えば入れ子式に伸縮）させる。柔軟性ループ１４２の外側端１４７は、肩部１５５，１５７を形成するよう湾曲させられ、張力が加えられた位置（図８ｂ参照）の場合、傘布のある程度円形のプロファイルと一致する。柔軟性ループ１４２は、開傘位置にある時には、傘布によって受け入れられ、傘布に張力を与えるように構成される。柔軟性ループ１４２の肩部１５５，１５７は、開傘された時には、傘布の周辺部付近でそれぞれの親骨に対して働く半径方向の力を拡散するための負荷拡散器として働く。柔軟性ループ１４２は、傘布の周辺部付近で、尖った端部が存在しないことも確実にし、これはそうでなければ負傷する潜在性（例えば目を突く負傷）を呈し得るからである。
【００５３】
図１５及び１６に示されるように、傘が反転する場合には、傘布テンショナー４１は、傘布における輪の応力を低減又は解放することによって、傘が比較的容易に反転された状態から通常位置に遷移できるようにする。例えば、傘が反転された位置に遷移する時、輪の応力（例えば傘布の周辺における張力）は、傘がその通常位置（図４に示される）に復帰され得る前には通常応力より大きくなる。親骨１９が中棒３に対して実質的に垂直である点において、傘布における張力は、通常位置におけるよりも大きい。傘布における高くなった張力は、支持構造９及び傘布１１に傷め得る、増加された応力を支持構造９に加え、付勢手段１３が傘をその通常位置に復帰させることを難しくする。バネ５１は、チューブ４３及びＴバー４５を親骨１９に沿って横方向に移動させることによって、親骨１９及び傘布テンショナー４１の組み合わされた全体の長さ、及び傘布における張力を減少させる。このことは、傘布の下側に加えられた力の解放と同時に、板バネ１３がまっすぐになろうとする時に、傘が反転された位置から開傘位置に遷移する際、傘布テンショナー４１が傘布における輪の応力を減少させるという点で、傘が自己復原することを補助する。
【００５４】
図９及び１０を参照して、板バネ１３及び中棒３の間の接続が詳細に説明される。傘は、その中を通って形成された内部チャネルを有するカラー５５を含み、このチャネルは、中棒３を受け入れるように構成される。複数の突起５７は、カラー５５と一体化して形成されている。突起５７は、接続される時、カラー５５の付近において中棒３から離れるように半径方向に延びている。カラー５５は、複数の凹部５９も有し、それぞれの凹部５９は、突起５７の対の間に位置する空間によって規定される。それぞれの凹部５９は、板バネ６１のベース端６１を受け入れることによって、板バネ６１が旋回可能にマウントされ、それによってカラー５５に対して回転するよう構成される。カラー５５は、中棒３にスライド可能にマウントされ、使用中は、カラー１７と、親骨１９及び中棒３の間の旋回可能接続との中間に位置する。カラー５５及び中棒３の間にスライド可能にマウントすることは、その開傘位置と閉傘位置との間で傘の支持構造９が調節される時、カラーが中棒を上下に移動することを可能にする。それぞれの突起５７は、それを通して形成された溝６３を含む。溝６３のプロファイルは、凹部５９のプロファイルに実質的に垂直に方向付けられている。溝は、カラー５５の付近に配置される、ある長さをもつワイヤ（不図示）の形をとる、固定器具を受け入れるよう構成される。それぞれの板バネ１３は、板バネのベース端６３において開口６５を含む。開口６５は、溝６３と協働するようアラインされることによって、それらそれぞれは、板バネ１３の溝６３及び開口６５を通されるワイヤを受け入れることができる。この接続は、板バネ１３が旋回可能にカラー５５にマウントされることによって、それらが中棒３に対して回転できることを可能にする。代替として、中棒３及びカラー５５を板バネ１３に旋回可能に接続するために、旋回機構を封止することが、上述のものの代わりに用いられ得る。
【００５５】
傘は、支持構造が立てられた時に、カラー１７を中棒３にロックするよう構成されるロック手段も含む。ロック手段は、傘に用いられる従来のロック手段であり得る。例えば、それは、開傘位置に傘がロックされ得るような位置にカラー１７が保持されることを可能にする、中棒３上に設けられたバネ押し突起の形をとるデテントであり得る。ロック機構は、図１０ａ及び１０ｂを参照してこれから説明されるように、代替としてクランプを含み得る。この実施形態では、中棒３は、インデント５７及びクランプ５９を含む。クランプ５９は、中棒を包み、中棒３の長さ方向に沿ったスライド要素６３の並進によって動作可能である、柔軟性体から形成される。使用中、スライド要素６３は、ユーザによって把持され得て、中棒３を上に並進され、支持構造を閉傘位置から開傘位置に調節する。中棒３に沿って並進すると、スライド要素６３は、カラー１７に係合し、それを中棒３に沿ってスライドさせる。開傘位置の時、クランプ５９は、インデント５７に係合し、スライド要素６３及びカラー１７が中棒３を下にスライドしないようにする。スライド要素６３は、中棒を包み、スライド要素６３の内部空洞６９内に延びるよう形成された靭性体である係合部材６５を含む。ロック手段をロックするためには、係合部材６５は、クランプ５９のヘッド７１に係合し、それによってクランプのヘッド７１を中棒３の上方、インデント５７の中においやる。ロック手段をアンロックするために、係合部材６５及びクランプ５９は、スライド要素が中棒３を下方に並進される時に、クランプのヘッド７１を中棒３に沿って下方にスライドするための互いに係合する協働肩部７３，７５を含む。係合部材６５は、クランプ５９の長さに対して長さが短い。よってユーザがスライド要素６３を中棒の下方にスライドする時、係合部材は、クランプ５９のヘッド７１から係合を解き、それによってクランプがインデントから解放されるようにする。ユーザがスライド要素６３を中棒下方にスライドし続ける時、係合部材の肩部７３及びクランプは係合し、クランプ５９をスライド要素６３と共に中棒３の下方にスライドさせる。クランプの肩部７５も、クランプのヘッド７１と同様に動作し、閉傘位置において傘をロックする。この目的のために、第２インデントは、中棒の低い部分に配される。このロック手段は、ユーザによる２つの別個のアクション（例えば、スライド要素をスライドさせつつデテントを押すこと）を要求しない、使用するのが簡単なロック機構を提供する。これは指の負傷をなくすことにも役立つ。
【００５６】
ロック手段は代替としては、図１２〜１４を参照してこれから説明されるロックカラーを含み得る。この実施形態において、ロック手段は、ロックカラー７７、第１内側スリーブ８０をハウジングする調節可能なハンドル７９、第２調節可能外側スリーブ８２、及びクリップ８１の形をとる柔軟性のあるロックタブを含む。第１スリーブ８０は、傘の中棒を受け入れるよう構成され、詳細な実施形態においては、支持構造の受骨が接続されているカラー１７と一体化形成される。詳細な実施形態においては、クリップ８１は、それぞれ内側チューブ８０の一部を受け入れるよう構成されるチャネル９２を含み、２つの要素は、傘の中棒に沿って一緒に並進することができる。ロック手段は、固定されたカラー８３も含む。ゴムハンドル７９及び調節可能なスリーブ８２は接続されることによって、ユーザによるハンドル７９の位置の調節が、内側スリーブ８０に対するスリーブ８２の位置の調節に対応するようにできる。調節可能なスリーブ８２は、ハンドル７９の内側ゴム壁９０に係合する剛性のある外側歯８８を含む。よってハンドル７９の傘布に向かう（すなわち開傘状態に向かう）並進は、調節可能なスリーブ８２の対応する並進を生じる。
【００５７】
図１３ａ〜ｃは、ハンドル７９がユーザによってアンロックされている位置（図１３ａ〜ｂ）からロックされた位置（図１３ｃ）へ矢印の向きにスライドされる時の、ロック手段の要素の相互作用を示す。ハンドル７９が矢印Ａの向きに動かされる時、スリーブ８０は、ロックカラー７７上をスライドする。加えて、内側スリーブ８０と一体化形成されているカラー１７は、固定されたカラー８３上をスライドする。固定されたカラー８３は、ロック手段に安定性を提供し、ロックされた位置にあるとき、スリーブがガタつくことを抑制するのを補助する。ロックカラー７７及び柔軟性タブ８１は、協働面取り表面８５，８７を含むことによって、ロックされた位置にハンドル７９が押される（すなわちユーザによって傘の中棒が上にスライドされる）時に、ロックカラー７７は、柔軟性タブ８１がたわみ、ロックカラー上をスライドするようにさせる（図１３ｂ参照）。ロックカラー７７及び柔軟性タブ８１は、ロックカラー７７の柔軟性タブ８１及びリッジ８９のアンダーカット表面８７の形をとり、ハンドル７９がロックされた位置に押される時に柔軟性タブがその自然な位置（すなわち中棒３へ向かう）にカチッとはまり（すなわちたわみ）、ロック表面８７，８９の間の相互作用が、アンロックされた位置へスリーブ８０が動くことを抑制するよう構成される、協働する平行ロック表面を含む。
【００５８】
ロック機構をアンロックするためには、ハンドル７９は、図１３の矢印Ｂによって示される向きにユーザによって押される（すなわち中棒３の下方にスライドされる）。ユーザがハンドル７９を下方に（すなわち矢印Ｂの向きに）引く時、内側スリーブ８０の内側が面取りされた壁は、柔軟性タブ８１を開かせ（すなわち傘の中棒から離れるようにたわみ）、ロックカラー７７上を通る。
【００５９】
他の代替の実施形態において、クランプ５９及び係合部材６５は、中棒３の周辺近傍でそれぞれ部分的に延びる複数の部材からそれぞれ形成され得る。
【００６０】
以下のクレームにおいて、及び先の概要においては、明示的な文言又は必然の黙示によって文脈が要求する場合を除き、「備える」という語は、「含む」という意味で用いられ、すなわち、上述の特徴は、さまざまな実施形態においてさらなる特徴と共に用いられてもよい。
【００６１】
変形及び改変は、本開示の精神又は範囲から逸脱することなく、前述の記載になされ得る。
【図１】
2017528259.tif 000003
【図２】
2017528259.tif 000004
【図３】
2017528259.tif 000005
【図４】
2017528259.tif 000006
【図５】
2017528259.tif 000007
【図６】
2017528259.tif 000008
【図７】
2017528259.tif 000009
【図８ａ】
2017528259.tif 000010
【図８ｂ】
2017528259.tif 000011
【図９】
2017528259.tif 000012
【図１０】
2017528259.tif 000013
【図１１ａ】
2017528259.tif 000014
【図１１ｂ】
2017528259.tif 000015
【図１２ａ】
2017528259.tif 000016
【図１２ｂ】
2017528259.tif 000017
【図１３ａ】
2017528259.tif 000018
【図１３ｂ】
2017528259.tif 000019
【図１３ｃ】
2017528259.tif 000020
【図１４】
2017528259.tif 000021
【図１５】
2017528259.tif 000022
【図１６】
2017528259.tif 000023
【手続補正書】
【提出日】平成28年10月7日(2016.10.7)
【手続補正１】
【補正対象書類名】明細書
【補正対象項目名】全文
【補正方法】変更
【補正の内容】
【発明の詳細な説明】
【技術分野】
【０００１】
本開示は、ユーザを雨又は太陽光線から保護する覆いとして使用され得る傘に関する。
【背景技術】
【０００２】
傘又はパラソルは、ユーザを太陽、風、又は雨から保護する覆いとして使用され得る。傘は、携帯可能な構造であり得て、又は地面に固定され得る。傘は、一端に手元を、他端に傘布を有する中棒を含み得る。傘布を支持し、使用しない時には、傘布が畳めるように、閉傘可能な傘布支持構造が含まれ得る。閉傘可能な傘布支持構造は、開傘された時に、傘布に張力をかけるための、中棒から放射状に延びる複数の親骨も含み得る。傘の問題は、風を受けて、風によって傘布の下面に働いた力が、傘を裏返す（例えば閉傘可能な傘布構造を反転する）ことである。
【０００３】
背景技術に関する上記の言及は、当該技術が当業者にとっての公知の一般的知識の一部を形成するという自認を構成しない。上記言及は、ここで開示される傘の応用を限定するように意図もされない。
【発明の概要】
【０００４】
ここで開示されているのは傘である。この傘は、近位端部及び遠位端部を有する細長い部材を備え得る。この傘は、前記細長い部材の遠位端部付近に配置される傘布に接続可能である支持構造も備え得る。前記支持構造は、傘布が前記支持構造によって張力が与えられる、開傘位置と、傘布の張力が解放されている閉傘位置との間で調節可能であり得る。この傘は、前記細長い部材を受け入れるよう構成され、その中に形成された内側チャネルを有するカラーも備え得る。この傘は、それぞれが前記支持構造及び前記カラーの両方にマウントされている、複数の付勢手段も含み得る。それぞれの付勢手段は、傘布の下面に力が加わった場合に、前記支持構造が反転するのを抑制するために、前記支持構造を開傘位置に維持するために、前記支持構造を開傘位置に付勢するよう構成され得る。
【０００５】
ある形態では、それぞれの付勢手段は、前記支持構造に旋回可能にマウントされている。これは、付勢手段が、傘がその開傘位置及び閉傘位置の間で調節される時に、支持構造と共に動くことを可能にする。
【０００６】
ある形態では、それぞれの付勢手段は、靭性を有し、中立位置においてその長さ方向に湾曲されることによって、前記付勢手段は、傘布の下面に力が加えられた時に曲がり、前記付勢手段の前記靭性が前記付勢手段を中立位置へと付勢する。有利には、付勢手段は、傘布の下面に加えられる力（例えば風）によって親骨に与えられる力に対抗し得る。
【０００７】
ある形態では、傘が反転された位置にある時には、それぞれの付勢手段は、加えられた力の解放とともに、その中立位置に向かって動き得て（すなわちまっすぐになる傾向によって）、支持構造は、開傘位置へと付勢される。これは、傘が自己復原することを可能にする。
【０００８】
ある形態では、支持構造は、前記細長い部材に接続されたスライダーを備え得る。スライダーは、前記細長い部材の前記近位端部及び遠位端部の中間の位置の間で前記細長い部材に沿って移動し得る。支持構造は、複数の親骨であって、それぞれの親骨は、前記細長い部材の遠位端部の付近に配置され、前記細長い部材の遠位端部に旋回可能に接続されている、複数の親骨を備え得る。支持構造は、複数のロッドであって、それぞれのロッドは、前記スライダー及びそれぞれの親骨の両方の付近に配置され、前記スライダー及びそれぞれの親骨の両方に旋回可能に接続された、複数のロッドを備え得る。使用中に、前記細長い部材に沿った、前記細長い部材の前記遠位端部に向かうスライダーの動きは、それぞれのロッドが、それが接続されている前記親骨を、前記細長い部材から離れるように旋回させ、前記スライダーが前記支持構造を開傘位置に調整することができる。さらに、前記細長い部材に沿った、前記細長い部材の前記近位端部に向かうスライダーの動きは、それぞれのロッドが、それが接続されている前記親骨を、前記細長い部材に向かうように旋回させ、前記スライダーが前記支持構造を閉傘位置に調整することができる。
【０００９】
ある形態では、それぞれの親骨は、第１端及び第２端を備え得る。前記第１端は、前記支持構造が開傘位置にある時には、前記細長い部材から間隔を空けられ得る。前記第２端は、前記細長い部材の前記遠位端部に旋回可能に接続され得る。
【００１０】
ある形態では、それぞれの親骨は、第１コネクタを備え得る。前記第１コネクタは、前記親骨の前記第１端及び前記第２端の中間にマウントされることによって、前記第１コネクタが前記親骨に沿った位置に固定される。それぞれの親骨は、第２コネクタも備え得る。前記第２コネクタは、前記第１コネクタ及び前記親骨の前記第２端の中間にマウントされることによって、前記第２コネクタが前記親骨に沿った位置に固定され得る。
【００１１】
ある形態では、それぞれのロッドは、それぞれの第１コネクタに旋回可能に接続され得る。
【００１２】
ある形態では、それぞれの付勢手段は、それぞれの第２コネクタに旋回可能に接続され得る。
【００１３】
ある形態では、前記第２コネクタは、親骨に固定され得る。
【００１４】
ある形態では、前記第１コネクタは、それぞれ、一体化した突出フィンガーを備え得る。それぞれの突出フィンガーは、その周りでそれぞれのロッドが回転できる、ピンを受け入れるよう構成される開口を含み得る。
【００１５】
ある形態では、前記第２コネクタは、それぞれ、単一の一体化した突出フィンガーを備え得る。それぞれの突出フィンガーは、その周りでそれぞれの付勢手段が回転できる、ピンを受け入れるよう構成される開口を含み得る。
【００１６】
ある形態では、前記付勢手段は、その端部で分岐することによって、前記第２コネクタの前記突出フィンガーのいずれの側にも位置し得る。
【００１７】
ある形態では、前記支持構造は、複数の傘布テンショナーをさらに備え得る。それぞれの傘布テンショナーは、それぞれの親骨の前記第１端に接続され得る。
【００１８】
ある形態では、それぞれの傘布テンショナーは、それが接続されている前記親骨を受け入れるよう構成されている内部空洞を有する物体を備え得る。それぞれの傘布テンショナーは、前記アライメント部材と一体化形成され、前記アライメント部材から離れるように延びている肩部を備え得る。前記肩部は、前記支持構造が前記開傘位置にある時に、前記傘布によって受け取られ、前記傘布に張力を与えるよう構成され得る。
【００１９】
ある形態では、それぞれの傘布テンショナーは、それが接続されている前記親骨を受け入れるよう構成されている内部空洞を有するアライメント部材と、前記アライメント部材と一体化形成され、前記アライメント部材から離れるように延びている肩部であって、前記肩部は、前記支持構造が前記開傘位置にある時に、前記傘布によって受け取られ、前記傘布に張力を与えるよう構成される、肩部と、を備える。ある形態では、前記肩部は、アライメント部材に接続され得る（すなわち一体化形成されていない）。
【００２０】
ある形態では、それぞれの傘布テンショナーは、使用中にそれぞれの親骨の第１端付近に配置され得る靭性部材をさらに備え得る。靭性部材は、物体及び親骨にマウントされている位置決め具によって親骨に沿った動きが制限され得る。位置決め具は、親骨の第１端から間隔が空けられ得る。これは、傘布が反転する場合には、傘布及び支持構造の張力が制限されることを可能にする。
【００２１】
ある形態では、それぞれの傘布テンショナーは、使用中に、それぞれの親骨に隣接して配置される対向する靭性部材であって、前記靭性部材は、いずれかの端部で接続され、前記アライメント部材及び前記親骨にマウントされている位置決め具によって前記親骨に沿った動きが制限され、前記位置決め具は、前記第１端から間隔を空けられている、靭性部材をさらに備え得る。
【００２２】
ある形態では、前記靭性部材は、それを通して親骨の一部が延びるコイルバネであり得る。
【００２３】
ある形態では、前記靭性部材は、前記アライメント部材及び前記位置決め具と一体化形成されている板バネである。ある形態では、前記板バネの外側部分は、前記傘布テンショナーの前記肩部を形成し得る。
【００２４】
ある形態では、前記バネの一端は、前記位置決め具に係合し得て、その反対端は、前記物体の壁に係合し得る。
【００２５】
ある形態では、前記アライメント部材は、前記支持構造が前記閉傘位置及び前記開傘位置の間で調節される時、それぞれの親骨に沿って入れ子式に並進するよう構成され得る。
【００２６】
ある形態では、傘は、その中に形成された内部チャネルを有するカラーをさらに備え得る。このチャネルは、その中を通して細長い部材を受け入れるよう構成され得る。複数の突起は、前記カラーと一体化形成され得る。前記突起は、前記カラー付近で半径方向に延び得る。傘は、複数の凹部も備え得る。それぞれの凹部は、隣接する突起の間に規定され得る。それぞれの凹部は、それぞれの付勢手段の端部を受け入れるよう構成され得ることによって、前記付勢手段は、前記カラーに旋回可能にマウントされ得る。
【００２７】
ある形態では、前記カラーは、前記細長い部材にスライド可能にマウントされ得て、使用中は、前記スライダーと、前記親骨及び前記細長い部材の間の前記旋回可能な接続との中間に（例えば間に）位置し得る。
【００２８】
ある形態では、それぞれの突起は、それを通して形成された溝を備え得る。前記溝は、前記カラー付近に配置されている固定器具を受け入れるよう構成され得る。
【００２９】
ある形態では、それぞれの付勢手段は、前記固定器具を受け入れる開口を備えることによって、前記付勢手段は、旋回可能に前記カラーにマウントされ得る。
【００３０】
ある形態では、前記固定器具は、前記付勢手段の前記突起の溝及び前記開口を通される、ある長さをもつワイヤであり得る。
【００３１】
ある形態では、前記傘は、前記支持構造が開傘状態である時に、前記スライダーを前記細長い部材にロックするよう構成されているロック手段をさらに備え得る。
【００３２】
ある形態では、前記付勢手段は、板バネであり得る。
【００３３】
ある形態では、前記付勢手段は、スプリング付きの部材であり得る。
【００３４】
前記細長い部材は、前記近位端に配置される手元をさらに備え得る。
【００３５】
ここで開示されているのは、近位端部及び遠位端部を有する細長い部材を備え得る傘である。傘布に接続可能である支持構造は、前記細長い部材の遠位端部付近に配置され得る。前記支持構造は、傘布が前記支持構造によって張力が与えられる、開傘位置と、傘布の張力が解放されている、閉傘位置との間で調節可能であり得る。傘は、前記支持構造に接続されている複数の傘布テンショナーも備え得る。それぞれの傘布テンショナーは、それが接続されている前記親骨を受け入れるよう構成されている内部空洞を有するアライメント部材と、前記アライメント部材と一体化形成され、前記アライメント部材から離れるように延びている肩部とを備え得る。他の形態では、前記肩部は、前記アライメント部材に接続され得る（すなわち一体化形成されていない）。前記肩部は、前記支持構造が前記開傘位置にある時に、前記傘布によって受け取られ、前記傘布に張力を与えるよう構成され得る。
【００３６】
ある形態では、それぞれの傘布テンショナーは、使用中に、それぞれの親骨の付近に配置される対向する靭性部材であって、前記靭性部材は、いずれかの端部で接続され、前記アライメント部材及び前記親骨にマウントされている位置決め具によって前記親骨に沿った動きが制限され、前記位置決め具は、前記親骨の端から間隔を空けられている、靭性部材をさらに備え得る。
【００３７】
ある形態では、前記傘布テンショナーは、前記支持構造が前記開傘位置及び反転された位置の間で調節される時に、傘布における輪の応力を低減するよう構成され得る。ある形態では、それぞれのアライメント部材は、前記開傘位置及び前記反転位置の間で前記支持構造が調節されると、そのそれぞれの細長い部材に対して、横方向に移動するよう構成され、それによって、それぞれの傘布テンショナー及びそれぞれの細長い部材の合計された長さを低減することによって前記傘布における輪の応力を低減し得る。
【００３８】
ここで開示されているのは、近位端部及び遠位端部を有する細長い部材を備える傘である。傘布に接続可能である支持構造は、前記細長い部材の遠位端部付近に配置され得る。前記支持構造は、傘布が前記支持構造によって張力が与えられる、開傘位置と、傘布の張力が解放されている閉傘位置との間で調節可能であり得る。傘布における張力は解放されることができる。傘は、前記支持構造及び前記細長い部材の遠位端部の両方にマウントされている、複数の付勢手段も備え得る。それぞれの付勢手段は、傘が反転されている時に、支持構造を開傘位置に付勢し、それによって支持構造を開傘位置に戻すよう構成され得る。有利には、これは、傘布及び支持構造が反転される（例えば傘が反対に曲がる）場合にも、傘が開傘位置に自分で戻り得るよう、自己復原することを可能にする。
【図面の簡単な説明】
【００３９】
ここで実施形態が添付の図面を参照して、あくまで例として記載される。
【図１】傘の透視図である。
【図２】傘の支持構造の透視図である。
【図３】傘の上面図である。
【図４】傘の側面図である。
【図５】傘の支持構造の側面図である。
【図６】板バネ及び親骨の間の接続の透視図である。
【図７】傘布テンショナーの側面図である。
【図８ａ】張力が加えられた位置における傘布テンショナーの代替の実施形態の側面図である。
【図８ｂ】張力が解放された位置における傘布テンショナーの代替の実施形態の側面図である。
【図９】中棒及び板バネの間の接続の透視図である。
【図１０】傘の支持構造の他の透視図である。
【図１１ａ】アンロック状態でのロック手段の断面図である。
【図１１ｂ】ロック状態でのロック手段の断面図である。
【図１２ａ】代替のロック手段の断面図である。
【図１２ｂ】代替のロック手段の断面図である。
【図１３ａ】アンロック位置における図１２の代替のロック手段の断面図である。
【図１３ｂ】アンロック位置における図１２の代替のロック手段の断面図である。
【図１３ｃ】ロック位置における図１２の代替のロック手段の断面図である。
【図１４】アンロック位置における図１２の代替のロック手段の断面図である。
【図１５】反転された位置における傘支持構造の側面図である。
【図１６】反転された位置における傘支持構造の透視図である。
【発明を実施するための形態】
【００４０】
以下の詳細な記載において、詳細な説明の一部を成す添付の図面に対して参照がなされる。詳細な説明に記載され、図面に示され、特許請求の範囲に規定された例示的な実施形態は、限定的であることを意図されない。他の実施形態が利用され得て、提示されている主題の精神又は範囲から逸脱することなく、他の変更もなされ得る。ここで概略的に記載され、図面に示されるように、本開示の局面は、改変され、置換され、結み合わされ、分離され、幅広い異なる構成において設計され得て、これら全てが本開示において想定されている。
【００４１】
図１をまず参照して、本開示による傘１が説明される。傘１は、近位端部５及び遠位端部７を有する中棒３の形をとる細長部材を含む。中棒３は、ユーザが傘１を把持できるようにする手元６を、その近位端５において含む。次に図２を参照して、この傘がさらに詳細に説明される。傘１は、布地シート又はシート群（例えば縫い合わせられた複数のキャンバスシート）の形をとり、中棒３の遠位端部７の近くに配された傘布１１に接続されている支持構造９を含む。支持構造９は、図１に示される開傘位置と、閉傘位置との間で調節可能である。開傘位置において、傘布１１は、支持構造９によって張力が加えられ得て、ユーザが雨又は太陽から保護される半剛性構造を形成する。閉傘された位置において、傘布１１の張力は、解放され得て、傘布は緩む。使用されない時は。傘１は、閉傘された位置で保管され得る。
【００４２】
傘１は、支持構造９及び中棒３の遠位端部７の両方に装着された、板バネ１３の形をとる複数の付勢手段を含む。それぞれの板バネ１３は、力（例えば風）が傘布１１の下面１５に加えられた時に、支持構造９を開傘位置に付勢することによって、支持構造９を開傘位置に維持し、支持構造９が反転する（例えば裏返しになる）ことを防ぐように構成される。それぞれの板バネ１３は、支持構造９に旋回可能に装着される（pivotally mounted）。板バネ１３は、支持構造及び傘布が反転された場合（図１１及び１２）には、支持構造９及び傘布１１を開傘位置へと付勢することもできる。これは、傘が自動的に復原することを可能にする。
【００４３】
次に図４及び５を参照して、支持構造がさらに詳細に説明される。支持構造９は、中棒３に接続されているカラー１７の形をとるスライダーを含む。カラー１７は、中棒３の近位端部５及び遠位端部７の間を中棒３に沿って移動できる。支持構造９は、複数の親骨１９も含み、それぞれの親骨は、中棒３の遠位端部７の近くに、旋回可能に配されている。支持構造９は、受骨２１の形をとる複数のロッドも含む。受骨２１は、カラー１７及び親骨１９の近くに配され、それら両方に旋回可能に接続されている。
【００４４】
中棒３の遠位端部７に向けた中棒３に沿ったカラー１７の動きは、受骨２１が中棒３から遠ざかる所で接続されている親骨１９を、それぞれの受骨２１が旋回させることによって、カラー１７は、支持構造９を開傘位置へと再位置付け又は調節する。中棒３の近位端部５に向けた中棒３に沿ったカラー１７の動きは、受骨２１が中棒３に近い所で接続されている親骨１９を、それぞれの受骨２１が旋回させることによって、カラー１７は、支持構造９を傘が閉傘された位置へと再位置付け又は調節する。
【００４５】
親骨１９は、第１端２３及び第２端２５を含む。親骨１９の第１端２３は、支持構造が開傘位置にある時には、中棒３から離れて（例えば間隔を空けられて）いる。親骨１９の第２端２５は、中棒の遠位端部２５に旋回可能に接続されている。親骨１９は、マウント２７の形をとる第１コネクタを有する。マウント２７は、親骨１９の第１端２３及び第２端２５の中間に配置されることによって、マウント２７が親骨１９に沿った位置で固定される。ここで図５を参照して、親骨１９が詳細に説明される。親骨１９は、コネクタ２９の形をとる複数の第２コネクタを含む。図４に示されるように、コネクタ２９は、親骨１９のマウント２７及び第２端２５の中間（例えば間）にマウントされることによって、コネクタ２９が親骨１９に沿った位置で固定される。
【００４６】
傘が反転する（例えば裏返しになる）のを防ぐために、それぞれの板バネ１３は、弾力性をもち、その中立位置ではその長さに沿って湾曲させられている。板バネ１３は、傘布１１の下面１５に力が加わると、曲がることができる。板バネ１３の靭性は、その中立位置に向けてそれを付勢することによって、板バネにおける曲率半径は、それが曲げられた（例えば加圧された）状態に追いやられるときよりも大きい。支持構造９が反転された位置に追いやられると、それぞれの親骨１９の第１端２３がマウント２７付近で曲がる（例えばその長さに沿ってたわむ）。この動きは、親骨１９の第２端２５を下向きに、中棒３に向かって押しやる（forces）。板バネ１３は、その端部及び湾曲部の間で圧縮される（例えば板バネの曲率半径が減少する）。板バネにおける弾力性は、板バネの曲げを抑制し、それによって親骨１９の第２端２３の中棒３に対する動きを抑制する。これは、力が傘布の下面に加えられたときに、傘の反転プロセスを抑制又は防止する。代替の実施形態において、板バネは、他の付勢手段（例えば弾性的に靭性を有する長さのゴム、コイルバネ）で置換され得る。
【００４７】
板バネ１３は、傘が反転された場合（例えば傘布の下面に与えられた力が傘を反転させるのに十分なとき）には、支持構造９及び傘布１１を自己復原させることもできる。反転された、つまり裏返しになった位置は、図１１及び１２に示される。反転された位置において、それぞれの親骨１９は、その長さに沿って、親骨１９及び受骨２１の間の接続（マウント２７）の付近で曲げられる（例えば、たわむ、弧をかく）。これは、それぞれの親骨１９の第２端２５が中棒３へ向かうように移動させ、それによって板バネ１３を圧縮する。板バネ１３の靭性は、板バネをその中立位置へと付勢する。中立位置において、板バネの曲率半径は、圧縮されている時（すなわち傘が反転された位置に追いやられている時）よりも大きい。板バネ１３は、傘布１１の下面１５に与えられる力の解放と同時にまっすぐになる傾向があり、それによって傘を自己復原する。
【００４８】
図４及び６を参照して、受骨２１、親骨１９、及び板バネ１３の間の旋回接続が詳細に説明される。それぞれの受骨２１は、マウント２７に旋回可能に接続されている。ある形態では、マウント２７は、親骨１９に合わせて成形されており、親骨１９は、カーボンファイバ又は任意の他の丈夫な材料（例えばファイバーガラス、金属又はポリマー）から形成され得る。マウント２７は、それぞれ一体化した突出フィンガー３１を備える。突出フィンガー３１は、その周りにそれぞれの受骨２１が回転できる、ピンを受け入れるよう構成された開口を有する。それぞれの板バネ１３は、コネクタ２９に旋回可能に接続されている。コネクタ２９も、親骨１９に成形されることで、それらの位置が固定され得る。代替の実施形態においては、コネクタ２９及びマウント２７は、代替の固定方法（例えば、接着剤で付けられたり、締め付け具で留められたり、圧着されたり、又はリベット締めにされたりされ得る）を用いて受骨２１に固定される。
【００４９】
コネクタ２９は、単一の一体化した突出フィンガー３３も備える。突出フィンガー３３は、その周りにそれぞれの板バネ１３がコネクタ２９に対して回転できる、ピン３５を受け入れるよう構成された開口を有する。それぞれの板バネ１３は、親骨１９に隣接するその端部において二つの部分に分岐３７する。板バネ１３の分岐部３７は、コネクタ２９の突出フィンガー３３の両側に位置する。板バネの分岐部３７は、ピン３５を受け入れる開口３９も含む。分岐部３７は、突出フィンガー３３の開口と、板バネ１３とがアラインするように、コネクタ２９の突出フィンガー３３を受け入れる。このようにして、協働する開口は、板バネ１３及びコネクタ２９が旋回可能に互いにマウントされるように、ピン３５を受け入れる。分岐マウントは、比較的簡単であるが、他の形態の旋回可能なマウントも採用され得る。
【００５０】
支持構造９は、複数の傘布テンショナー４１も含む。図４及び７をここで参照して、傘布テンショナー４１が詳細に説明される。傘布テンショナー４１は、親骨１９の第１端２３に接続されている。傘布テンショナー４１は、チューブ４３の形をとり、親骨１９を受け入れるように構成されている内部空洞を有し、親骨１９に接続されている本体を含む。傘布テンショナーは、チューブ４３と一体化されて形成され、チューブ４３から伸びている靭性Ｔバー４５の形をとる、肩部も含む。Ｔバー４５は、チューブ４３と併せて、Ｔ字形のプロファイルを形成する。Ｔバー４５の外周は、傘布１１のある程度円形のプロファイルと合うように湾曲が付けられ得る。Ｔバー４５は、支持構造９が開傘位置にある時に、傘布１１によって受け止められ、傘布１１に張力を与えるよう構成される。傘布テンショナーのＴバー４５は、支持構造９が開傘された時には、傘布１１の周辺部付近で親骨１９に対して働く半径方向の力を拡散するための負荷拡散器として働く。Ｔバーは、傘布の周辺部付近で、尖った端部が存在しないことも確実にする。尖った端部は、特に、混雑した場所で傘が用いられるときに危険であり得る。
【００５１】
再び図１を参照して、傘布テンショナー４１及び傘布１１の間の接続がさらに詳細に説明される。傘布１１は、傘布１１の周囲４９におけるその下面１５付近に、コンパートメント４７の形をとる、重なり合う端部を含む。傘布テンショナー４１は、コンパートメント４７内に位置し得る。それぞれの親骨１９の長さは、同一である。加えて、中棒３についての親骨１９の間隔、よって傘布テンショナー４７の間隔は、同一である。このことは、傘布１１の張力が、傘布１１にわたって均一に拡散されることを確かにする。コンパートメント４７の個数は、親骨１９の個数に等しくてもよい。代替の実施形態においては、親骨１９は、非対称な傘布を形成するために長さに変化が付けられ得る。
【００５２】
詳細な形態では、コンパートメント４７は、傘布１１の全体の周囲４９について延びる、単一の長さの材料から形成される。このことは、コンパートメント４７及び傘布１１の間の色のコントラストを可能にする。このことは、コンパートメント４７が、傘布１１の異なる、より強い材料から形成されることも可能にする。代替の実施形態においては、コンパートメントは、別個の材料片から個別に形成される。
【００５３】
図７を再び参照して、傘布テンショナー４１がさらに詳細に説明される。傘布テンショナー４１は、それを通して親骨の一部が延びるコイルバネ５１の形をとる、靭性部材も含む。バネ５１は、親骨１９の第１端２３の付近に配置され、チューブ４３に固定される。バネ５１は、親骨１９にマウントされている位置決め具５３によって親骨１９に沿った動きを制限されている。位置決め具５３は、親骨１９の第１端２３から間隔が空けられている。バネ５１の端は、位置決め具５３と係合され、他方の端は、チューブ４３の外の壁と係合されている。代替の実施形態においては、バネ５１は、チューブ４３の中の壁と係合されてもよい。他の代替の実施形態においては、バネ５１は、プラスチックでできた弾力を有するバネであり得る。
【００５４】
傘布テンショナーの代替の形態が図８に示される。傘布テンショナー１４１は、対向する板バネ１５１の形をとる、対向する靭性部材と、及び、支持構造の親骨の一部がその中を通る、一体化成形されたチューブ１４５の形をとるアライメント部材とを含む。チューブ１４５は、張力が加えられた位置（図８ｂ）及び張力が解かれた位置（図８ａ）の間で、それぞれの親骨に沿って並進することができる。対向する板バネ１４１は、一端１４７，１４９に接続され、柔軟性のあるループ１４２を形成する。傘布テンショナー１４１は、それぞれの親骨を受け入れ、それぞれの親骨に固定されるカラー１４４を含む。傘布に張力を与えるとチューブ１４１の動きは、固定されたカラー１４４によって制限される。傘布に張力を与えると、柔軟性ループ１４２の外側端１４７は、傘布ポケットと係合し、それによって図８ａの矢印Ｃによって表される向きに圧縮される。この動きは、対向する板バネをたわませて、チューブ１４１を支持構造のそれぞれの親骨に沿って固定されたカラー１４４の向きに並進（例えば入れ子式に伸縮）させる。柔軟性ループ１４２の外側端１４７は、肩部１５５，１５７を形成するよう湾曲させられ、張力が加えられた位置（図８ｂ参照）の場合、傘布のある程度円形のプロファイルと一致する。柔軟性ループ１４２は、開傘位置にある時には、傘布によって受け入れられ、傘布に張力を与えるように構成される。柔軟性ループ１４２の肩部１５５，１５７は、開傘された時には、傘布の周辺部付近でそれぞれの親骨に対して働く半径方向の力を拡散するための負荷拡散器として働く。柔軟性ループ１４２は、傘布の周辺部付近で、尖った端部が存在しないことも確実にし、これはそうでなければ負傷する潜在性（例えば目を突く負傷）を呈し得るからである。
【００５５】
図１５及び１６に示されるように、傘が反転する場合には、傘布テンショナー４１は、傘布における輪の応力を低減又は解放することによって、傘が比較的容易に反転された状態から通常位置に遷移できるようにする。例えば、傘が反転された位置に遷移する時、輪の応力（例えば傘布の周辺における張力）は、傘がその通常位置（図４に示される）に復帰され得る前には通常応力より大きくなる。親骨１９が中棒３に対して実質的に垂直である点において、傘布における張力は、通常位置におけるよりも大きい。傘布における高くなった張力は、支持構造９及び傘布１１に傷め得る、増加された応力を支持構造９に加え、付勢手段１３が傘をその通常位置に復帰させることを難しくする。バネ５１は、チューブ４３及びＴバー４５を親骨１９に沿って横方向に移動させることによって、親骨１９及び傘布テンショナー４１の組み合わされた全体の長さ、及び傘布における張力を減少させる。このことは、傘布の下側に加えられた力の解放と同時に、板バネ１３がまっすぐになろうとする時に、傘が反転された位置から開傘位置に遷移する際、傘布テンショナー４１が傘布における輪の応力を減少させるという点で、傘が自己復原することを補助する。
【００５６】
図９及び１０を参照して、板バネ１３及び中棒３の間の接続が詳細に説明される。傘は、その中を通って形成された内部チャネルを有するカラー５５を含み、このチャネルは、中棒３を受け入れるように構成される。複数の突起５７は、カラー５５と一体化して形成されている。突起５７は、接続される時、カラー５５の付近において中棒３から離れるように半径方向に延びている。カラー５５は、複数の凹部５９も有し、それぞれの凹部５９は、突起５７の対の間に位置する空間によって規定される。それぞれの凹部５９は、板バネ６１のベース端６１を受け入れることによって、板バネ６１が旋回可能にマウントされ、それによってカラー５５に対して回転するよう構成される。カラー５５は、中棒３にスライド可能にマウントされ、使用中は、カラー１７と、親骨１９及び中棒３の間の旋回可能接続との中間に位置する。カラー５５及び中棒３の間にスライド可能にマウントすることは、その開傘位置と閉傘位置との間で傘の支持構造９が調節される時、カラーが中棒を上下に移動することを可能にする。それぞれの突起５７は、それを通して形成された溝６３を含む。溝６３のプロファイルは、凹部５９のプロファイルに実質的に垂直に方向付けられている。溝は、カラー５５の付近に配置される、ある長さをもつワイヤ（不図示）の形をとる、固定器具を受け入れるよう構成される。それぞれの板バネ１３は、板バネのベース端６３において開口６５を含む。開口６５は、溝６３と協働するようアラインされることによって、それらそれぞれは、板バネ１３の溝６３及び開口６５を通されるワイヤを受け入れることができる。この接続は、板バネ１３が旋回可能にカラー５５にマウントされることによって、それらが中棒３に対して回転できることを可能にする。代替として、中棒３及びカラー５５を板バネ１３に旋回可能に接続するために、旋回機構を封止することが、上述のものの代わりに用いられ得る。
【００５７】
傘は、支持構造が立てられた時に、カラー１７を中棒３にロックするよう構成されるロック手段も含む。ロック手段は、傘に用いられる従来のロック手段であり得る。例えば、それは、開傘位置に傘がロックされ得るような位置にカラー１７が保持されることを可能にする、中棒３上に設けられたバネ押し突起の形をとるデテントであり得る。ロック機構は、図１０ａ及び１０ｂを参照してこれから説明されるように、代替としてクランプを含み得る。この実施形態では、中棒３は、インデント５７及びクランプ５９を含む。クランプ５９は、中棒を包み、中棒３の長さ方向に沿ったスライド要素６３の並進によって動作可能である、柔軟性体から形成される。使用中、スライド要素６３は、ユーザによって把持され得て、中棒３を上に並進され、支持構造を閉傘位置から開傘位置に調節する。中棒３に沿って並進すると、スライド要素６３は、カラー１７に係合し、それを中棒３に沿ってスライドさせる。開傘位置の時、クランプ５９は、インデント５７に係合し、スライド要素６３及びカラー１７が中棒３を下にスライドしないようにする。スライド要素６３は、中棒を包み、スライド要素６３の内部空洞６９内に延びるよう形成された靭性体である係合部材６５を含む。ロック手段をロックするためには、係合部材６５は、クランプ５９のヘッド７１に係合し、それによってクランプのヘッド７１を中棒３の上方、インデント５７の中においやる。ロック手段をアンロックするために、係合部材６５及びクランプ５９は、スライド要素が中棒３を下方に並進される時に、クランプのヘッド７１を中棒３に沿って下方にスライドするための互いに係合する協働肩部７３，７５を含む。係合部材６５は、クランプ５９の長さに対して長さが短い。よってユーザがスライド要素６３を中棒の下方にスライドする時、係合部材は、クランプ５９のヘッド７１から係合を解き、それによってクランプがインデントから解放されるようにする。ユーザがスライド要素６３を中棒下方にスライドし続ける時、係合部材の肩部７３及びクランプは係合し、クランプ５９をスライド要素６３と共に中棒３の下方にスライドさせる。クランプの肩部７５も、クランプのヘッド７１と同様に動作し、閉傘位置において傘をロックする。この目的のために、第２インデントは、中棒の低い部分に配される。このロック手段は、ユーザによる２つの別個のアクション（例えば、スライド要素をスライドさせつつデテントを押すこと）を要求しない、使用するのが簡単なロック機構を提供する。これは指の負傷をなくすことにも役立つ。
【００５８】
ロック手段は代替としては、図１２〜１４を参照してこれから説明されるロックカラーを含み得る。この実施形態において、ロック手段は、ロックカラー７７、第１内側スリーブ８０を収容する調節可能なハンドル７９、第２調節可能外側スリーブ８２、及びクリップ８１の形をとる柔軟性のあるロックタブを含む。第１スリーブ８０は、傘の中棒を受け入れるよう構成され、詳細な実施形態においては、支持構造の受骨が接続されているカラー１７と一体化形成される。詳細な実施形態においては、クリップ８１は、それぞれ内側チューブ８０の一部を受け入れるよう構成されるチャネル９２を含み、２つの要素は、傘の中棒に沿って一緒に並進することができる。ロック手段は、固定されたカラー８３も含む。ゴムハンドル７９及び調節可能なスリーブ８２は接続されることによって、ユーザによるハンドル７９の位置の調節が、内側スリーブ８０に対するスリーブ８２の位置の調節に対応するようにできる。調節可能なスリーブ８２は、ハンドル７９の内側ゴム壁９０に係合する剛性のある外側歯８８を含む。よってハンドル７９の傘布に向かう（すなわち開傘状態に向かう）並進は、調節可能なスリーブ８２の対応する並進を生じる。
【００５９】
図１３ａ〜ｃは、ハンドル７９がユーザによってアンロックされている位置（図１３ａ〜ｂ）からロックされた位置（図１３ｃ）へ矢印の向きにスライドされる時の、ロック手段の要素の相互作用を示す。ハンドル７９が矢印Ａの向きに動かされる時、スリーブ８０は、ロックカラー７７上をスライドする。加えて、内側スリーブ８０と一体化形成されているカラー１７は、固定されたカラー８３上をスライドする。固定されたカラー８３は、ロック手段に安定性を提供し、ロックされた位置にあるとき、スリーブがガタつくことを抑制するのを補助する。ロックカラー７７及び柔軟性タブ８１は、協働面取り表面８５，８７を含むことによって、ロックされた位置にハンドル７９が押される（すなわちユーザによって傘の中棒が上にスライドされる）時に、ロックカラー７７は、柔軟性タブ８１がたわみ、ロックカラー上をスライドするようにさせる（図１３ｂ参照）。ロックカラー７７及び柔軟性タブ８１は、ロックカラー７７の柔軟性タブ８１及びリッジ８９のアンダーカット表面８７の形をとり、ハンドル７９がロックされた位置に押される時に柔軟性タブがその自然な位置（すなわち中棒３へ向かう）にカチッとはまり（すなわちたわみ）、ロック表面８７，８９の間の相互作用が、アンロックされた位置へスリーブ８０が動くことを抑制するよう構成される、協働する平行ロック表面を含む。
【００６０】
ロック機構をアンロックするためには、ハンドル７９は、図１３の矢印Ｂによって示される向きにユーザによって押される（すなわち中棒３の下方にスライドされる）。ユーザがハンドル７９を下方に（すなわち矢印Ｂの向きに）引く時、内側スリーブ８０の内側が面取りされた壁は、柔軟性タブ８１を開かせ（すなわち傘の中棒から離れるようにたわみ）、ロックカラー７７上を通る。
【００６１】
他の代替の実施形態において、クランプ５９及び係合部材６５は、中棒３の周辺近傍でそれぞれ部分的に延びる複数の部材からそれぞれ形成され得る。
【００６２】
以下のクレームにおいて、及び先の概要においては、明示的な文言又は必然の黙示によって文脈が要求する場合を除き、「備える」という語は、「含む」という意味で用いられ、すなわち、上述の特徴は、さまざまな実施形態においてさらなる特徴と共に用いられてもよい。
【００６３】
変形及び改変は、本開示の精神又は範囲から逸脱することなく、前述の記載になされ得る。
【手続補正２】
【補正対象書類名】特許請求の範囲
【補正対象項目名】全文
【補正方法】変更
【補正の内容】
【特許請求の範囲】
【請求項１】
近位端部及び遠位端部を有する細長い部材と、
前記細長い部材の遠位端部付近に配置される傘布に接続可能である支持構造であって、前記支持構造は、傘布が前記支持構造によって張力が与えられる、開傘位置と、傘布の張力が解放されている閉傘位置との間で調節可能である、支持構造と、
前記細長い部材を受け入れるよう構成され、その中に形成された内側チャネルを有するカラーと、
それぞれが前記支持構造及び前記カラーの両方にマウントされている、複数の付勢手段と、
を備え、
それぞれの付勢手段は、傘布の下面に力が加わった場合に、前記支持構造が反転するのを抑制するために、前記支持構造を開傘位置に維持するために、前記支持構造を開傘位置に付勢するよう構成されている
傘。
【請求項２】
それぞれの付勢手段は、前記支持構造に旋回可能にマウントされている請求項１に記載の傘。
【請求項３】
それぞれの付勢手段は、靭性を有し、中立位置においてその長さ方向に湾曲されることによって、前記付勢手段は、傘布の下面に力が加えられた時に曲がり、前記付勢手段の前記靭性が前記付勢手段を中立位置へと付勢する
請求項１又は２に記載の傘。
【請求項４】
前記傘が反転された位置にある時には、それぞれの付勢手段は、加えられた力が解放されると、まっすぐになり、前記支持構造は、開傘位置に向かって付勢される
請求項３に記載の傘。
【請求項５】
前記支持構造は、
前記細長い部材に接続されたスライダーであって、前記スライダーは、前記細長い部材の前記近位端部及び遠位端部の中間の位置の間で前記細長い部材に沿って移動できる、スライダーと、
複数の親骨であって、それぞれの親骨は、前記細長い部材の遠位端部の付近に配置され、前記細長い部材の遠位端部に旋回可能に接続されている、複数の親骨と、
複数のロッドであって、それぞれのロッドは、前記スライダー及びそれぞれの親骨の両方の付近に配置され、前記スライダー及びそれぞれの親骨の両方に旋回可能に接続された、複数のロッドと、
を備え、
前記細長い部材に沿った、前記細長い部材の前記遠位端部に向かうスライダーの動きは、それぞれのロッドが、それが接続されている前記親骨を、前記細長い部材から離れるように旋回させ、前記スライダーが前記支持構造を開傘位置に調整し、
前記細長い部材に沿った、前記細長い部材の前記近位端部に向かうスライダーの動きは、それぞれのロッドが、それが接続されている前記親骨を、前記細長い部材に向かうように旋回させ、前記スライダーが前記支持構造を閉傘位置に調整する
請求項１〜４のいずれか１項に記載の傘。
【請求項６】
それぞれの親骨は、第１端及び第２端を備え、前記第１端は、前記支持構造が開傘位置にある時には、前記細長い部材から間隔を空けられており、前記第２端は、前記細長い部材の前記遠位端部に旋回可能に接続されている
請求項５に記載の傘。
【請求項７】
それぞれの親骨は、
第１コネクタであって、前記第１コネクタは、前記親骨の前記第１端及び前記第２端の中間にマウントされることによって、前記第１コネクタが前記親骨に沿った位置に固定される、第１コネクタと、
第２コネクタであって、前記第２コネクタは、前記第１コネクタ及び前記親骨の前記第２端の中間にマウントされることによって、前記第２コネクタが前記親骨に沿った位置に固定される、第２コネクタと、を備える
請求項６に記載の傘。
【請求項８】
それぞれのロッドは、それぞれの第１コネクタに旋回可能に接続される
請求項７に記載の傘。
【請求項９】
それぞれの付勢手段は、それぞれの第２コネクタに旋回可能に接続される
請求項７又は８に記載の傘。
【請求項１０】
前記第２コネクタは、親骨に固定されている
請求項７〜９のいずれか１項に記載の傘。
【請求項１１】
前記第１コネクタは、それぞれ、一体化した突出フィンガーを備え、それぞれの突出フィンガーは、その周りでそれぞれのロッドが回転できる、ピンを受け入れるよう構成される開口を含む
請求項７〜１０のいずれか１項に記載の傘。
【請求項１２】
前記第２コネクタは、それぞれ、単一の一体化した突出フィンガーを備え、それぞれの突出フィンガーは、その周りでそれぞれの付勢手段が回転できる、ピンを受け入れるよう構成される開口を含む
請求項７〜１１のいずれか１項に記載の傘。
【請求項１３】
前記付勢手段は、その端部で分岐することによって、前記第２コネクタの前記突出フィンガーのいずれの側にも位置する
請求項７〜１２のいずれか１項に記載の傘。
【請求項１４】
前記支持構造は、複数の傘布テンショナーをさらに備え、それぞれの傘布テンショナーは、それぞれの親骨の前記第１端に接続されている
請求項７〜１３のいずれか１項に記載の傘。
【請求項１５】
それぞれの傘布テンショナーは、
それが接続されている前記親骨を受け入れるよう構成されている内部空洞を有するアライメント部材と、
前記アライメント部材と一体化形成され、前記アライメント部材から離れるように延びている肩部であって、前記肩部は、前記支持構造が前記開傘位置にある時に、前記傘布によって受け取られ、前記傘布に張力を与えるよう構成される、肩部と、
を備える
請求項１４に記載の傘。
【請求項１６】
それぞれの傘布テンショナーは、
使用中に、それぞれの親骨に隣接して配置される対向する靭性部材であって、前記靭性部材は、いずれかの端部で接続され、前記アライメント部材及び前記親骨にマウントされている位置決め具によって前記親骨に沿った動きが制限され、前記位置決め具は、前記第１端から間隔を空けられている、靭性部材
をさらに備える
請求項１５に記載の傘。
【請求項１７】
前記靭性部材は、前記アライメント部材及び前記位置決め具と一体化形成されている板バネである
請求項１６に記載の傘。
【請求項１８】
前記板バネの外側部分は、前記傘布テンショナーの前記肩部を形成する
請求項１７に記載の傘。
【請求項１９】
前記アライメント部材は、前記支持構造が前記閉傘位置及び前記開傘位置の間で調節される時、それぞれの親骨に沿って入れ子式に並進するよう構成されている
請求項１７又は１８に記載の傘。
【請求項２０】
カラーと一体化形成されている複数の突起であって、前記突起は、前記カラー付近で半径方向に延びている、複数の突起と、
複数の凹部であって、それぞれの凹部は、隣接する突起の間に規定される、複数の凹部と、
さらに備え、
それぞれの凹部は、それぞれの付勢手段の端部を受け入れるよう構成されることによって、前記付勢手段は、前記カラーに旋回可能にマウントされる
請求項３〜１９のいずれか１項に記載の傘。
【請求項２１】
前記カラーは、前記細長い部材にスライド可能にマウントされており、使用中は、スライダーと、親骨及び前記細長い部材の間の前記旋回可能な接続との中間に位置する
請求項２０に記載の傘。
【請求項２２】
それぞれの突起は、それを通して形成された溝を備え、前記溝は、前記カラー付近に配置されている固定器具を受け入れるよう構成されている
請求項２０又は２１に記載の傘。
【請求項２３】
それぞれの付勢手段は、前記固定器具を受け入れる開口を備えることによって、前記付勢手段は、旋回可能に前記カラーにマウントされる
請求項２２に記載の傘。
【請求項２４】
前記固定器具は、前記付勢手段の前記突起の溝及び前記開口を通される、ある長さをもつワイヤである
請求項２３に記載の傘。
【請求項２５】
前記支持構造が開傘状態である時に、スライダーを前記細長い部材にロックするよう構成されているロック手段をさらに備える
請求項３〜２４のいずれか１項に記載の傘。
【請求項２６】
前記付勢手段は、スプリング付きの部材である
請求項１〜２５のいずれか１項に記載の傘。
【請求項２７】
前記細長い部材は、前記近位端部に配置される手元をさらに備える
請求項１〜２６のいずれか１項に記載の傘。
【請求項２８】
近位端部及び遠位端部を有する細長い部材と、
前記細長い部材の遠位端部付近に配置される傘布に接続可能である支持構造であって、前記支持構造は、傘布が前記支持構造によって張力が与えられる、開傘位置と、傘布の張力が解放されている閉傘位置との間で調節可能である、支持構造と、
複数の傘布テンショナーであって、それぞれの傘布テンショナーは、それが接続されている親骨を受け入れるよう構成されている内部空洞を有するアライメント部材と、前記アライメント部材と一体化形成され、前記アライメント部材から離れるように延びている肩部であって、前記肩部は、前記支持構造が前記開傘位置にある時に、前記傘布によって受け取られ、前記傘布に張力を与えるよう構成される、肩部とを備える、複数の傘布テンショナーと、
を備える傘。
【請求項２９】
それぞれの傘布テンショナーは、使用中に、それぞれの親骨の付近に配置される対向する靭性部材であって、前記靭性部材は、いずれかの端部で接続され、前記アライメント部材及び前記親骨にマウントされている位置決め具によって前記親骨に沿った動きが制限され、前記位置決め具は、前記親骨の端から間隔を空けられている、靭性部材をさらに備える
請求項２８に記載の傘。
【請求項３０】
前記傘布テンショナーは、前記支持構造が前記開傘位置及び反転された位置の間で調節される時に、傘布における輪の応力を低減するよう構成されている
請求項２８又は２９に記載の傘。
【請求項３１】
それぞれのアライメント部材は、前記開傘位置及び前記反転された位置の間で前記支持構造が調節されると、そのそれぞれの細長い部材に対して、横方向に移動するよう構成され、それによって、それぞれの傘布テンショナー及びそれぞれの細長い部材の合計された長さを低減することによって前記傘布における輪の応力を低減する
請求項３０に記載の傘。
【請求項３２】
請求項２９〜３１のいずれか１項に記載の傘であって、前記傘は、そうでなければ請求項１〜２７のいずれか１項に記載の傘。
【国際調査報告】
2017528259.tif 000024
2017528259.tif 000025
2017528259.tif 000026
2017528259.tif 000027
2017528259.tif 000028